(57)【要約】【課題】チューブを開閉作動する可動鉄芯からの衝撃音の発生を低減させる。【解決手段】医療用ソレノイドアクチュエータ１０は、液体を案内するチューブＴを押しつぶす閉塞状態と液体を流す開放状態とに作動する。コイルケース１１は円筒部１２と底壁部１３とを備え、内部には固定鉄芯１６とコイル１４が組み込まれる。可動鉄芯２１は軸部２５とディスク部２２を有している。円筒部１２にはチューブホルダ２７が設けられ、チューブホルダ２７にはチューブＴが保持される。底壁部１３には衝撃吸収ダンパ４１が少なくとも３つ設けられている。それぞれの前記衝撃吸収ダンパ４１は、ディスク部２２に向けて突出する突出部を有している。【選択図】図１
2014096427.tif 000002
【特許請求の範囲】
【請求項１】
液体を案内するチューブを押しつぶして液体の流れを遮断する閉塞状態と、前記チューブを開放して液体を流す開放状態とに作動する医療用ソレノイドアクチュエータであって、
円筒部および当該円筒部の一端部に径方向に設けられた底壁部を備え、固定鉄芯およびコイルが組み込まれるコイルケースと、
前記底壁部に対向するディスク部と当該ディスク部に設けられる軸部を有し、前記固定鉄芯に対して軸方向に往復動自在に装着される可動鉄芯と、
前記コイルケースに装着され、前記軸部により開閉される前記チューブを保持するチューブホルダと、
前記底壁部と前記ディスク部の一方に、前記底壁部と前記ディスク部の他方に突出する突出部を備えるとともに円周方向に間隔を隔てて少なくとも３つ設けられる衝撃吸収ダンパとを有することを特徴とする医療用ソレノイドアクチュエータ。
【請求項２】
請求項１記載の医療用ソレノイドアクチュエータにおいて、前記衝撃吸収ダンパの前記突出部は、内部に空気室が設けられた筒体部を有することを特徴とする医療用ソレノイドアクチュエータ。
【請求項３】
請求項２記載の医療用ソレノイドアクチュエータにおいて、前記衝撃吸収ダンパは、前記筒体部に設けられ、前記底壁部と前記ディスク部の一方に固定される固定端部と、前記筒体部に設けられ、前記底壁部と前記ディスク部の他方に開口する開口端部とを有することを特徴とする医療用ソレノイドアクチュエータ。
【請求項４】
請求項３記載の医療用ソレノイドアクチュエータにおいて、前記開口端部に向けて外径が小径となる円弧面またはテーパ面を前記筒体部の外周面に設けることを特徴とする医療用ソレノイドアクチュエータ。
【請求項５】
請求項３記載の医療用ソレノイドアクチュエータにおいて、前記開口端部に向けて内径が大きくなる円弧面またはテーパ面を前記筒体部の内周面に設けることを特徴とする医療用ソレノイドアクチュエータ。
【請求項６】
請求項２記載の医療用ソレノイドアクチュエータにおいて、前記衝撃吸収ダンパは、前記筒体部の基端部側に設けられ、前記底壁部と前記ディスク部の一方に固定される固定端壁部と、前記筒体部の先端部側に設けられ、前記底壁部と前記ディスク部の他方に突き当てられる突き当て壁部とを有し、前記固定端壁部に前記空気室と外部とを連通させる通気孔を設けることを特徴とする医療用ソレノイドアクチュエータ。
【請求項７】
請求項２記載の医療用ソレノイドアクチュエータにおいて、前記衝撃吸収ダンパは、前記筒体部が蛇腹形状であり、前記筒体部は、前記空気室を外部に連通させる通気孔が形成された前記底壁部と前記ディスク部の一方に固定される固定端部と、前記底壁部と前記ディスク部の他方に突き当てられる開口端部とを有することを特徴とする医療用ソレノイドアクチュエータ。
【請求項８】
請求項３〜７のいずれか１項に記載の医療用ソレノイドアクチュエータにおいて、前記固定端部は前記底壁部と前記ディスク部の一方に設けられた取付孔に挿入される括れ部を有することを特徴とする医療用ソレノイドアクチュエータ。
【請求項９】
請求項３〜７のいずれか１項に記載の医療用ソレノイドアクチュエータにおいて、前記固定端部は前記底壁部と前記ディスク部の一方に設けられた径方向の取付面に固定される鍔部を有することを特徴とする医療用ソレノイドアクチュエータ。
【発明の詳細な説明】
【技術分野】
【０００１】
本発明は、血液や薬液等の液体を案内するチューブを開閉作動させる医療用ソレノイドアクチュエータに関する。
【背景技術】
【０００２】
医療用機器には血液や薬液等の液体を案内するためのチューブを有するものがある。そのチューブに液体を流す状態と液体の流れを停止する状態とに切り換えるためにソレノイドアクチュエータが医療用機器に使用されている。例えば、透析器を用いて腎臓に疾患がある患者の血液から老廃物と毒素を取り除くときには、溶液の中に人工の透析膜からなるチューブを浸し、このチューブの中に患者の血液の一部を循環させるようにしている。このような血液透析に使用されるチューブには、チューブ内の液体つまり血液をチューブ内に流す開放状態と、チューブを押しつぶして血液の流れを遮断する閉塞状態とに切換作動させるために、ソレノイドバルブと同様の構造のソレノイドアクチュエータが設けられている。このような医療用のソレノイドアクチュエータは、上述した透析器のみならず、患者の周囲に配置される各種医療用機器に用いられている。
【０００３】
ソレノイドアクチュエータは、固定鉄芯とコイルが組み込まれたコイルケースと、コイルケースに装着され軸方向に往復動自在の可動鉄芯とを有し、可動鉄芯によりチューブを押しつぶす閉塞状態とチューブを開放する開放状態とに切換作動させる。固定鉄芯とコイルとを有する電磁石つまりソレノイドを有し、流路を開閉動作させるようにしたソレノイドバルブが特許文献１に記載されている。
【先行技術文献】
【特許文献】
【０００４】
【特許文献１】特開２００３−２６９６３７号公報
【発明の概要】
【発明が解決しようとする課題】
【０００５】
透析器のように患者の周囲に配置される医療用機器に用いられるソレノイドアクチュエータは、コイルに通電して可動鉄芯を動作させると、可動鉄芯が固定鉄芯に吸着されて衝突し、衝撃音が発生する。医療用機器は静寂な環境の医療現場で使用されるので、アクチュエータから動作音つまり衝撃音が患者に響くと、患者には衝撃音が精神的苦痛にもなる。上記特許文献１に記載されるように、固定鉄芯に対向させて可動鉄芯にゴムシートを設けると、可動鉄芯は固定鉄芯に直接衝突することなく、ゴムシートを介して衝突するので、可動鉄芯が吸着されたときの金属音はある程度低減することができるものの、低音の衝撃音を低減することができない。このため、静寂な医療現場において使用される医療用機器としては、消音効果が不十分となる。
【０００６】
アクチュエータを防音容器内に組み込むようにすれば、金属音のみならず、低音の衝撃音も低減することが可能となるが、防音容器を含めたアクチュエータのサイズが大きくなり、医療機器を小型化することができなくなる。
【０００７】
本発明の目的は、チューブを開閉作動する可動鉄芯からの衝撃音の発生を低減させるようにした医療用ソレノイドアクチュエータを提供することにある。
【課題を解決するための手段】
【０００８】
本発明の医療用ソレノイドアクチュエータは、液体を案内するチューブを押しつぶして液体の流れを遮断する閉塞状態と、前記チューブを開放して液体を流す開放状態とに作動する医療用ソレノイドアクチュエータであって、円筒部および当該円筒部の一端部に径方向に設けられた底壁部を備え、固定鉄芯およびコイルが組み込まれるコイルケースと、前記底壁部に対向するディスク部と当該ディスク部に設けられる軸部を有し、前記固定鉄芯に対して軸方向に往復動自在に装着される可動鉄芯と、前記コイルケースに装着され、前記軸部により開閉される前記チューブを保持するチューブホルダと、前記底壁部と前記ディスク部の一方に、前記底壁部と前記ディスク部の他方に突出する突出部を備えるとともに円周方向に間隔を隔てて少なくとも３つ設けられる衝撃吸収ダンパとを有することを特徴とする。
【発明の効果】
【０００９】
本発明によれば、可動鉄芯のディスク部とコイルケースの底壁部との間に配置される少なくとも３つの衝撃吸収ダンパは、突出部を有しており、可動鉄芯が駆動されてコイルケースに向けて移動すると、突出部が弾性変形することにより可動鉄芯の衝撃が吸収される。突出部に空気室を設けると、空気室内の空気が圧縮されて空気が内部から漏出して突出部が弾性変形し空気室内の空気が圧縮され、可動鉄芯の衝撃が減衰されることになり、突出部の弾性変形と空気圧縮とにより衝撃吸収が達成される。
【図面の簡単な説明】
【００１０】
【図１】チューブを開放した状態における一実施の形態の医療用ソレノイドアクチュエータを示す断面図である。
【図２】チューブを閉塞した状態における医療用ソレノイドアクチュエータを示す断面図である。
【図３】図１におけるＡ−Ａ線断面図である。
【図４】（Ａ）は図１に示された衝撃吸収ダンパの不作動状態を示す拡大断面図であり、（Ｂ）は図２に示されるように衝撃吸収ダンパの作動状態を示す拡大断面図である。
【図５】衝撃吸収ダンパの変形例を示す断面図である。
【図６】（Ａ）〜（Ｄ）はそれぞれ衝撃吸収ダンパの他の変形例を示す断面図である。
【図７】（Ａ），（Ｂ）はそれぞれ衝撃吸収ダンパのさらに他の変形例を示す断面図である。
【図８】（Ａ）は衝撃吸収ダンパのさらに他の変形例の不作動状態を示す断面図であり、（Ｂ）は（Ａ）に示す衝撃吸収ダンパの作動状態を示す断面図である。
【発明を実施するための形態】
【００１１】
以下、本発明の実施の形態を図面に基づいて詳細に説明する。図１および図２に示されるように、この医療用ソレノイドアクチュエータ１０はコイルケース１１を有している。コイルケース１１は軸方向に伸びる円筒部１２と、この円筒部１２の一端部に径方向に伸びて一体に設けられる底壁部１３とを有している。コイルケース１１内には、コイル１４が巻き付けられた円筒形状のボビン１５が組み込まれ、ボビン１５は底壁部１３の内面に突き当てられる。コイルケース１１内には固定鉄芯１６が組み込まれ、固定鉄芯１６はコア部１７とこれと一体となった環状の基部１８とを有し、基部１８は底壁部１３に対向してボビン１５に突き当てられる。コア部１７には、底壁部１３に向けて小径となる傾斜面１７ａが設けられている。
【００１２】
コイルケース１１には可動鉄芯２１が軸方向に往復動自在に設けられている。可動鉄芯２１は底壁部１３の外面に対向するディスク部２２と、これと一体となったプランジャ部２３とを有しており、プランジャ部２３には、固定鉄芯１６の中心部に形成された貫通孔２４を貫通する軸部２５が一体に設けられている。可動鉄芯２１は軸部２５が貫通孔２４に案内されて軸方向に往復動する。円筒部１２の他端面にはプレート２６が突き当てられており、このプレート２６を介して円筒部１２の他端部側にはチューブホルダ２７が装着される。チューブホルダ２７は、環状の基部２８とこれと一体となった筒状部２９とを有し、固定鉄芯１６に取り付けられたねじ部材３１をプレート２６と基部２８に貫通させ、ねじ部材３１にナット３２をねじ結合させることにより、チューブホルダ２７は固定鉄芯１６に取り付けられる。可動鉄芯２１のプランジャ部２３にはコア部１７の傾斜面１７ａに対向する傾斜面２３ａが設けられている。
【００１３】
可動鉄芯２１の軸部２５はチューブホルダ２７の筒状部２９内に突出しており、軸部２５には開閉ロッド３３が取り付けられている。筒状部２９の先端には、血液等の液体を案内するためのチューブＴが貫通される貫通孔３４が設けられており、チューブＴは筒状部２９に保持される。開閉ロッド３３の先端部にはテーパ部３５が設けられており、このテーパ部３５の先端の開閉エッジ３６は、チューブホルダ２７の底壁部３７との間でチューブＴを押しつぶす。チューブＴが開閉エッジ３６により押しつぶされると、チューブＴ内の血液等の液体の流れが遮断される。一方、開閉ロッド３３がチューブＴから離れると、チューブＴはチューブの弾性力と液体の圧力とにより押し広げられてチューブＴ内に液体が流れる開放状態となり、液体はチューブＴに案内される。
【００１４】
開閉ロッド３３のフランジ部３３ａと筒状部２９の段部２９ａとの間には、圧縮コイルばね３８が装着されており、この圧縮コイルばね３８により軸部２５にはチューブＴから離れる方向のばね力が加えられている。コイル１４からはケーブル３９が外部に繰り出されており、ケーブル３９によりコイル１４に駆動信号を供給すると、可動鉄芯２１はばね力に抗してチューブＴに向けて駆動され、開閉ロッド３３によりチューブＴは押しつぶされることになる。コイル１４に駆動信号が供給されると、磁性材料からなるコイルケース１１と固定鉄芯１６と可動鉄芯２１とに主磁気回路が形成されるとともに、ディスク部２２には副磁気回路が形成され、これらの磁路が形成されることにより、可動鉄芯２１はチューブＴに向けて駆動される。
【００１５】
コイルケース１１の底壁部１３には、図３に示されるように、円周方向に間隔を隔てて３つの衝撃吸収ダンパ４１が設けられている。図１および図２には、２つの衝撃吸収ダンパ４１が示されている。
【００１６】
図４は図１〜図３に示されるように、底壁部１３に設けられた３つの衝撃吸収ダンパ４１のいずれか１つを示す拡大断面図であり、それぞれの衝撃吸収ダンパ４１は、突出部として、内部に空気室４２が設けられた筒体部４３を有している。筒体部４３はゴム等の弾性体からなり、ディスク部２２に向けて突出するように底壁部１３に取り付けられている。筒体部４３の基端部側には固定端部４４が設けられており、この固定端部４４により衝撃吸収ダンパ４１は底壁部１３に固定される。筒体部４３の先端部には、空気室４２をディスク部２２に向けて開口させる開口端部４５が設けられている。
【００１７】
固定端部４４は括れ部４６とこれよりも大径の脚部４７とを有し、底壁部１３の内面には脚部４７が入り込む凹部５１が形成され、底壁部１３の外面には筒体部４３の基端部が入り込む凹部５２が形成されており、両方の凹部５１，５２の間の取付孔５３に括れ部４６が挿入される。このように、脚部４７と筒体部４３との間で底壁部１３を挟み付けるようにして衝撃吸収ダンパ４１が底壁部１３に固定される。ディスク部２２の内面には、図１および図２に示されるように、底壁部１３に対向するようにゴムや樹脂からなるシート状の突き当て板５０が設けられている。
【００１８】
図１はコイル１４には駆動信号が供給されていない状態を示す。この状態のもとでは、圧縮コイルばね３８により可動鉄芯２１がチューブＴから離れた状態となり、チューブＴは開放されて内部に液体を流すことができる状態となる。このときには、図１および図４（Ａ）に示されるように、衝撃吸収ダンパ４１は筒体部４３がディスク部２２に向けて突出した不作動状態となっている。
【００１９】
一方、コイル１４に駆動信号を供給すると、コイルケース１１と固定鉄芯１６等には磁路が形成されて、可動鉄芯２１はばね力に抗して固定鉄芯１６に向けて吸着される方向に駆動される。これにより、図２および図４（Ｂ）に示されるように、チューブＴは軸部２５の開閉ロッド３３により押しつぶされて閉塞状態となり、チューブＴ内の液体の流れは遮断される。可動鉄芯２１が固定鉄芯１６に向けて駆動されるときには、ディスク部２２が衝撃吸収ダンパ４１の筒体部４３の開口端部４５に衝突し、衝突初期では開口端部４５がほぼ閉じられた状態となる。引き続くディスク部２２の移動により、筒体部４３は空気室４２を押しつぶすように径方向内方に折れ曲がりながら、軸方向に収縮する方向に弾性変形するとともに径方向外方に弾性変形し、図２および図４（Ｂ）に示されるように、凹部５２内に入り込む。このときには、空気室４２が押しつぶされて内部の空気が外部に漏出し、筒体部４３の弾性変形と空気の収縮と空気の漏出とにより、衝撃が３つの衝撃吸収ダンパ４１により減衰されて吸収される。
【００２０】
このように、空気室４２が設けられた筒体部４３の弾性変形と、空気室４２内の空気の収縮と、隙間から外部への空気の漏出とにより、可動鉄芯２１がコイルケース１１の底壁部１３に衝突する際の衝撃を吸収するようにしたので、金属音のみならず低音を含めて衝撃音の発生を防止することができる。これにより、医療用ソレノイドアクチュエータ１０が用いられた医療機器からの衝撃音の発生が防止され、患者は静粛な環境のもとで治療を受けることができる。
【００２１】
ディスク部２２の内面に突き当て板５０を設けると、ディスク部２２は筒体部４３の開口端部４５に突き当て板５０を介して衝突するので、開口端部４５とディスク部２２との密着性を高めることができるが、ディスク部２２を開口端部４５に直接衝突させるようにしても良い。
【００２２】
コイル１４に対する駆動信号の供給を停止すると、可動鉄芯２１を固定鉄芯１６から離す方向の弾性力が衝撃吸収ダンパ４１により加えられる。これにより、底壁部１３やディスク部２２に残留した磁気により可動鉄芯２１が底壁部１３に密着し続けることを防止することができる。このように、衝撃吸収ダンパ４１は、いわゆるマグネットキラーの効果をも達成することができる。
【００２３】
図３に示されるように、衝撃吸収ダンパ４１は円周方向に１２０度置きに３つ設けられているので、ディスク部２２は３つの衝撃吸収ダンパ４１により分散されて、傾斜することなく、衝撃が吸収されることになる。ただし、コイルケース１１のサイズによっては、４つあるいは５つ等のように、３つ以上の衝撃吸収ダンパ４１を底壁部１３に設けるようにしても良い。
【００２４】
図５は衝撃吸収ダンパ４１の変形例を示す断面図である。この衝撃吸収ダンパ４１の構造は、上述したものと同一であり、図５に示される衝撃吸収ダンパ４１は、可動鉄芯２１のディスク部２２に取り付けられている。ディスク部２２には、筒体部４３の固定端部４４が固定される凹部５１ａが外面に形成され、凹部５２ａが内面に形成されており、両方の凹部５１ａ，５２ａの間には取付孔５３ａが形成されている。ディスク部２２に衝撃吸収ダンパ４１を装着する形態においては、底壁部１３の外面に突き当て板５０を設けるようにしても良い。このように、衝撃吸収ダンパ４１は、コイルケース１１の底壁部１３と、可動鉄芯２１のディスク部２２の一方に、底壁部１３とディスク部２２の他方に突出するように装着される。
【００２５】
図６（Ａ）〜（Ｄ）はそれぞれ衝撃吸収ダンパ４１の他の変形例を示す断面図である。図６（Ａ）に示される衝撃吸収ダンパ４１の筒体部４３には、その外周面に開口端部４５に向けて外径が小径となるＲ面つまり円弧面５４が形成されている。一方、図６（Ｂ）に示される衝撃吸収ダンパ４１の筒体部４３には、その外周面に開口端部４５に向けて外径が小径となるテーパ面５５が形成されている。図６（Ａ），（Ｂ）に示されるように、開口端部４５の先端面を基端部側よりも薄肉とすると、可動鉄芯２１のディスク部２２が筒体部４３に衝突したときにおける筒体部４３の径方向内方への折れ曲がり現象を確実に発生させることができる。
【００２６】
図６（Ｃ）に示される衝撃吸収ダンパ４１は、図６（Ｂ）と相違して筒体部４３の内周面にテーパ面５５ａが設けられており、このテーパ面５５ａは開口端部４５に向けて内径が大きくなっている。このように、筒体部４３の内周面にテーパ面５５ａを設けるようにすると、筒体部４３はディスク部２２により径方向外方に広がるように弾性変形する。テーパ面５５ａに代えて、筒体部４３の内周面に図６（Ａ）に示した円弧面を形成するようにしても良い。
【００２７】
内周面にテーパ面や円弧面を形成すると、ディスク部２２が開口端部４５に接触して空気室４２をほぼ閉じた状態となり、内部の空気を漏出しながら筒体部４３が径方向外方に弾性変形して、凹部５２内に入り込んで、可動鉄芯２１の衝撃を減衰しながら吸収する。
【００２８】
図６（Ｄ）に示される衝撃吸収ダンパ４１は、固定端部４４に筒体部４３よりも大径の鍔部４８が設けられており、この鍔部４８が底壁部１３に設けられた径方向の取付面４９に固定されるようになっている。このように、鍔部４８を底壁部１３に固定するようにしても良い。図６（Ａ）〜（Ｃ）に示される形態の衝撃吸収ダンパ４１についても、図６（Ｄ）に示されるように鍔部４８で底壁部１３に固定するようにしても良い。
【００２９】
図６（Ａ）〜（Ｄ）に示される衝撃吸収ダンパ４１は、底壁部１３に取り付けられているが、図５に示されるように、衝撃吸収ダンパ４１をディスク部２２に取り付けるようにしても良い。
【００３０】
図７（Ａ），（Ｂ）はそれぞれ衝撃吸収ダンパ４１のさらに他の変形例を示す断面図であり、それぞれの衝撃吸収ダンパ４１は底壁部１３に装着されている。図７（Ａ）に示される衝撃吸収ダンパ４１は、筒体部４３の基端部側に設けられる固定端壁部６１と、筒体部４３の先端部側に設けられる突き当て端壁部６２とを有しており、内部には空気室４２が設けられている。この衝撃吸収ダンパ４１は可動鉄芯２１のディスク部２２に接着剤等により固定され、固定端壁部６１には空気室４２を外部に連通させる通気孔６３が設けられている。この通気孔６３はディスク部２２に設けられた通気孔６４を介して外部に連通している。
【００３１】
図７（Ａ）に示される衝撃吸収ダンパ４１は、可動鉄芯２１が固定鉄芯１６に向けて駆動されるときには、まず、ディスク部２２が衝撃吸収ダンパ４１の突き当て端壁部６２に衝突する。引き続くディスク部２２の移動により、筒体部４３は空気室４２を押しつぶすように軸方向に収縮する方向に弾性変形するとともに径方向外方に弾性変形し、凹部５２内に入り込む。このときには、空気室４２が押しつぶされて内部の空気が通気孔６３，６４から外部に漏出し、筒体部４３の弾性変形と空気の収縮と空気の漏出とにより、衝撃が減衰されて吸収される。
【００３２】
図７（Ｂ）に示される衝撃吸収ダンパ４１は、筒体部４３が蛇腹形状つまりベローズ形状となっている。蛇腹形状の筒体部４３は、逆向きに傾斜した傾斜部を一対とし、複数対の傾斜部が連なった形状となっている。この筒体部４３は一端部が固定端部４４となり、他端部が開口端部４５となっている。固定端部４４は通気孔６５が設けられた底壁部１３に固定され、開口端部４５はディスク部２２に突き当てられるようになっている。
【００３３】
図７（Ｂ）に示される衝撃吸収ダンパ４１は、可動鉄芯２１が固定鉄芯１６に向けて駆動されるときには、ディスク部２２が衝撃吸収ダンパ４１の筒体部４３の開口端部４５に衝突し、開口端部４５はディスク部２２によりほぼ閉じられた状態となる。引き続くディスク部２２の移動により、筒体部４３は空気室４２を押しつぶすように軸方向に収縮する方向に弾性変形するとともに径方向外方に弾性変形し、凹部５２内に入り込む。このときには、空気室４２が押しつぶされて内部の空気が通気孔６５から外部に漏出し、筒体部４３の弾性変形と空気の収縮と空気の漏出とにより、衝撃が減衰されて吸収される。
【００３４】
図７（Ａ），（Ｂ）に示される衝撃吸収ダンパ４１は、コイルケース１１の底壁部１３に固定される形態となっているが、図５に示されるように、衝撃吸収ダンパ４１をディスク部２２に固定するようにしても良い。その場合には、ディスク部２２に通気孔６４，６５が設けられることになる。
【００３５】
図８はさらに他の衝撃吸収ダンパのさらに他の変形例を示す断面図であり、図８（Ａ）は不作動状態を示し、図８（Ｂ）は作動状態を示す。
【００３６】
この衝撃吸収ダンパの突出部は、上述した突出部と相違して内部には空気室が設けられておらず、中実の柱状部材により形成されている。突出部としてはこのような中実構造としても衝撃吸収を行うことができる。
【００３７】
本発明は前記実施の形態に限定されるものではなく、その要旨を逸脱しない範囲で種々変更可能である。例えば、図示する医療用ソレノイドアクチュエータ１０は、可動鉄芯２１の軸部２５が固定鉄芯１６を貫通する形態となっているが、軸部２５をディスク部２２に対して反対側に突出させるようにした形態としても良い。
【符号の説明】
【００３８】
１１    コイルケース
１２    円筒部
１３    底壁部
１４    コイル
１６    固定鉄芯
２１    可動鉄芯
２２    ディスク部
２３    プランジャ部
２４    貫通孔
２５    軸部
２７    チューブホルダ
３３    開閉ロッド
３４    貫通孔
３５    テーパ部
３６    開閉エッジ
３８    圧縮コイルばね
４１    衝撃吸収ダンパ
４２    空気室
４３    筒体部
４４    固定端部
４５    開口端部
４６    括れ部
４７    脚部
４８    鍔部
４９    取付面
５１，５２    凹部
５４    円弧面
５５    テーパ面
６１    固定端壁部
６２    突き当て端壁部
６３〜６５    通気孔
Ｔ    チューブ
【図１】
2014096427.tif 000003
【図２】
2014096427.tif 000004
【図３】
2014096427.tif 000005
【図４】
2014096427.tif 000006
【図５】
2014096427.tif 000007
【図６】
2014096427.tif 000008
【図７】
2014096427.tif 000009
【図８】
2014096427.tif 000010